(57)【要約】【課題】  野球用胸部プロテクターの提供。【解決手段】  プロテクター本体、複数のバックバンド、ネックプロテクタ、複数のクッションブロック、複数の通気布で構成され、その特徴は、複数のクッションブロックに通気孔が設けられ、並びにプロテクター本体の複数の通気孔のいくつかと連通し、衝撃力を通気孔より散逸させ、且つ各プロテクター本体の背面が直接使用者に接触し、これにより良好な通気性を具え、着用して快適であり、また二つの上バックバンドと下バックバンドを接続する鞍帯が軟質ゴム発砲材質とされ、使用者の着用時に身体の背部にフィットし快適である。更に通気布に三種類の色が採用されて装飾効果が増されている。【選択図】        図２
0003109154.tif 000002
【実用新案登録請求の範囲】
【請求項１】
プロテクター本体、複数のバックバンド、ネックプロテクター、複数のクッションブロックを具えた野球用胸部プロテクターであり、
該プロテクター本体は、所定の厚さを具え未熱圧成形のエチレンビニルアセテート（ＥＶＡ）発泡クッション体で形成され、
該複数のバックバンドは、二つの上バックバンドと二つの下バックバンドで組成され、そのうち、二つの上バックバンドはその上端がプロテクター本体の両側の肩部部位に接続され、且つ各上バックバンドはスナップリングを具え、二つの下バックバンドはその一側がプロテクター本体の下方両側の所定部位に接続され、このほか、該二つの下バックバンド２３、２４にスナップリングが設けられ、
該ネックプロテクターは、該プロテクター本体の上端の、使用者の頸部に対応する部位に設置され、
該複数のクッションブロックは、プロテクター本体の前方に設けられ、使用者の胸部、肩部及び腹部の周囲部分に対応し、各クッションブロックは一種類或いはそれ以上の材料で構成され、
該複数の通気布は、プロテクター本体、ネックプロテクター及び複数のクッションブロックを被覆するよう縫い付けられる、野球用胸部プロテクターにおいて、
複数のクッションブロックがそれぞれ通気孔を具え、並びにプロテクター本体の複数の通気孔のうち数個の通気孔と連通し、衝撃力を有効に通気孔より散逸させ、且つプロテクター本体の背面は直接使用者に接触し、これにより良好な通気性を達成し、着用して快適であり、二つの上バックバンドの下端が略三角形体を呈する鞍帯の上方と接続され、該鞍帯は軟質ゴム発砲材質とされ、且つ鞍帯の下方両側が下バックバンドの別側と接続され、これにより使用者に着用使用時に身体に合い背部にフィットする快適さを提供できることを特徴とする、野球用胸部プロテクター。
【考案の詳細な説明】
【技術分野】
【０００１】
本考案は一種の野球用胸部プロテクターに係り、特に、通気性が良好で着用して快適である胸部プロテクターに関する。
【背景技術】
【０００２】
周知の野球用胸部プロテクターは、プロテクター本体の上方に複数のクッションブロックが設けられ並びに通気布で被覆されてなり、通気性が増されている。ある業者はクッションブロックの上方に通気孔を開設し、また図１に示されるように、ある業者はプロテクター本体９の各クッションブロック９１相互間の間隔部分に通気孔９１１を開設している。しかしこの二種類の方式はいずれも良好な通気効果を達成できない。更に、プロテクター本体９の周囲に接続された複数のバックバンド９２、９３、９４、９５、９６は使用者が着用後に身体にフィットせず、快適でない感覚を与える。
【考案の開示】
【考案が解決しようとする課題】
【０００３】
以上の従来の技術の欠点を鑑み、本考案はその解決のために一種の野球用胸部プロテクターを提供するものである。
【０００４】
すなわち、本考案の主要な目的は、一種の野球用胸部プロテクターを提供することにあり、それは、プロテクター本体が複数の通気孔を具え、且つそのうち一部の通気孔が各クッションブロックの通気孔と連通し、有効に衝撃力を通気孔より散逸させることができ、且つプロテクター本体の背面が直接使用者に接触し、複数の通気孔が良好な通気効果を達成し、着用使用を更に快適とできるものとする。
【０００５】
本考案はまた一種の野球用胸部プロテクターを提供することを目的とし、それは、上バックバンドと下バックバンドを接続する鞍帯が軟質ゴム発砲材質とされ、且つ接続に便利で、着用時に使用者の背部にフィットして快適であるものとする。
【課題を解決するための手段】
【０００６】
請求項１の考案は、プロテクター本体、複数のバックバンド、ネックプロテクター、複数のクッションブロックを具えた野球用胸部プロテクターであり、
該プロテクター本体は、所定の厚さを具え未熱圧成形のエチレンビニルアセテート（ＥＶＡ）発泡クッション体で形成され、
該複数のバックバンドは、二つの上バックバンドと二つの下バックバンドで組成され、そのうち、二つの上バックバンドはその上端がプロテクター本体の両側の肩部部位に接続され、且つ各上バックバンドはスナップリングを具え、二つの下バックバンドはその一側がプロテクター本体の下方両側の所定部位に接続され、このほか、該二つの下バックバンド２３、２４にスナップリングが設けられ、
該ネックプロテクターは、該プロテクター本体の上端の、使用者の頸部に対応する部位に設置され、
該複数のクッションブロックは、プロテクター本体の前方に設けられ、使用者の胸部、肩部及び腹部の周囲部分に対応し、各クッションブロックは一種類或いはそれ以上の材料で構成され、
該複数の通気布は、プロテクター本体、ネックプロテクター及び複数のクッションブロックを被覆するよう縫い付けられる、野球用胸部プロテクターにおいて、
複数のクッションブロックがそれぞれ通気孔を具え、並びにプロテクター本体の複数の通気孔のうち数個の通気孔と連通し、衝撃力を有効に通気孔より散逸させ、且つプロテクター本体の背面は直接使用者に接触し、これにより良好な通気性を達成し、着用して快適であり、二つの上バックバンドの下端が略三角形体を呈する鞍帯の上方と接続され、該鞍帯は軟質ゴム発砲材質とされ、且つ鞍帯の下方両側が下バックバンドの別側と接続され、これにより使用者に着用使用時に身体に合い背部にフィットする快適さを提供できることを特徴とする、野球用胸部プロテクターとしている。
【考案の効果】
【０００７】
本考案は従来の技術の欠点を解決する野球用胸部プロテクターを提供しており、それは、プロテクター本体が複数の通気孔を具え、且つそのうち一部の通気孔が各クッションブロックの通気孔と連通し、有効に衝撃力を通気孔より散逸させることができ、且つプロテクター本体の背面が直接使用者に接触し、複数の通気孔が良好な通気効果を達成し、着用使用を更に快適とでき、また、上バックバンドと下バックバンドを接続する鞍帯が軟質ゴム発砲材質とされ、且つ接続に便利で、着用時に使用者の背部にフィットして快適である。
【考案を実施するための最良の形態】
【０００８】
図２から図１０に示されるように、本考案は一種の野球用胸部プロテクターを提供し、それは、プロテクター本体１、複数のバックバンド２、ネックプロテクター３、複数のクッションブロック４、４０１、４０２、４０３、５、５０、６、７を具えている。
【０００９】
該プロテクター本体１は、所定の厚さを具え未熱圧成形のエチレンビニルアセテート（ＥＶＡ）発泡クッション体とされる。
【００１０】
該複数のバックバンド２は、二つの上バックバンド２１、２２と二つの下バックバンド２３、２４（図４）で組成され、そのうち、二つの上バックバンド２１、２２はその上端２１１、２２１がプロテクター本体の両側の肩部部位１１に接続され、且つ各上バックバンド２１、２２はスナップリング２１０、２２０を具え、二つの下バックバンド２３、２４はその一側がプロテクター本体１の下方両側の所定部位１２に接続され、このほか、該二つの下バックバンド２３、２４にスナップリング２３０、２４０が設けられている。
【００１１】
ネックプロテクター３は、該プロテクター本体１の上端の、使用者の頸部に対応する部位に設置される。
【００１２】
複数のクッションブロック４、４０１、４０２、４０３、５、５０、６、７は、プロテクター本体１の前方に設けられ、使用者の胸部、肩部及び腹部の周囲部分に対応し、各クッションブロック４、４０１、４０２、４０３、５、５０、６、７は一種類或いはそれ以上の材料で構成される。例えば、本実施例では、プロテクター本体１の胸部上方、頸部部位に設けられる各クッションブロック４、５（図５）は外側から発泡層４１、５１、中間層のポリエチレン（ＰＥ）板４２、５２、及び熱圧成形された内側のＥＶＡ発泡層４３、５３で構成され、そのうちプロテクター本体１の胸部上部両側、胸部下方と頸部両側の部位に位置する各クッションブロック４０１、４０２、５０（図６、７、８）は外側の発泡層４０１１、４０２１、５０１と内側の熱圧成形後のＥＶＡ発泡層４０１２、４０２２、５０２で構成され、プロテクター本体１の肩部、胸部下方両側と腹部周囲に設けられたクッションブロック６、４０３、７（図９、７、５）は熱圧成形されたＥＶＡ発泡層６１、４０３１、７１で形成されている。
【００１３】
複数の通気布８０１、８０２、８０３、８０４は、前述のプロテクター本体１、ネックプロテクター３及び複数のクッションブロック４、４０１、４０２、４０３、５、５０、６、７を被覆するよう縫製される。
【００１４】
本考案の特徴は以下のとおりである。図５から図９を参照されたい。
【００１５】
複数のクッションブロック４、４０１、４０２、４０３、５、５０、６、７はそれぞれ通気孔４５、４０１５、４０２５、４０３５、５５、５０５、６５、７５を具え、並びにプロテクター本体１の複数の通気孔１５のうち数個の通気孔１５と連通し、衝撃力を有効に通気孔より散逸させ、且つプロテクター本体１の背面は直接使用者に接触し、これにより良好な通気性を達成し、着用して快適とされる。このほか、前述の二つの上バックバンド２１、２２の下端２１２、２２２は略三角形体を呈する鞍帯２０（又は連接帯と称される）の上方と接続され、該鞍帯２０は軟質ゴム発砲材質とされ、且つ鞍帯２０の下方両側は下バックバンド２３、２４の別側２３２、２４２と接続され、これにより使用者が着用使用時（図１０）に身体に合い背部にフィットする快適さを得られる。
【００１６】
さらに、製造加工時に、前側に位置する各通気布８０１、８０２、８０３、８０４に異なる色が採用されることで装飾効果を増すことができる。
【００１７】
総合すると、本考案は以下の機能が向上されている。
１．プロテクター本体１が複数の通気孔１５を具え、且つそのうち一部の通気孔１５が各クッションブロック４、４０１、４０２、４０３、５、５０、６、７の通気孔４５、４０１５、４０２５、４０３５、５５、５０５、６５、７５と連通し、衝撃力を通気孔より有効に散逸させられ、且つプロテクター本体１の背面が直接使用者と接触し、複数の通気孔４５、４０１５、４０２５、４０３５、５５、５０５、６５、７５により良好な通気効果を達成し、並びに着用して快適である。
２．上下のバックバンド２１、２２、２３、２４を接続する鞍帯２０が軟質ゴム発砲材質とされ、且つ接続に便利で、着用時に使用者の背部にフィットし快適である。
３．通気布８０１、８０２、８０３、８０４に異なる色が採用されることで装飾効果を高められる。
４．プロテクター本体及びクッションブロックに縫い付けられる通気布に各通気孔が組み合わされて完全な通気効果を有する。
【図面の簡単な説明】
【００１８】
【図１】周知の野球用胸部プロテクターの立体図である。
【図２】本考案の実施例の立体図である。
【図３】本考案の実施例の部分正面図である。
【図４】本考案の実施例の背面図である。
【図５】本考案の実施例のプロテクター本体とその頸部、胸部上方、胸部下方腹部部位に設置されたクッションブロックの断面図である。
【図６】本考案の実施例のプロテクター本体とその頸部、胸部上方の一側に設置されたクッションブロックの部分組合せ断面図である。
【図７】本考案の実施例のプロテクター本体とその胸部下方及び胸部下方両側に設置されたクッションブロックの部分組合せ断面図である。
【図８】本考案の実施例のプロテクター本体とその頸部の一側に設置されたクッションブロックの部分組合せ断面図である。
【図９】本考案の実施例のプロテクター本体とその肩部に設置されたクッションブロックの部分組合せ断面図である。
【図１０】本考案の実施例の使用状態の背面拡大図である。
【符号の説明】
【００１９】
１  プロテクター本体
２  バックバンド
３  ネックプロテクター
４、４０１、４０２、４０３、５、５０、６、７  クッションブロック
２１、２２  上バックバンド
２３、２４  下バックバンド
２１１、２２２  上端
１１  肩部部位
２１０、２２０  スナップリング
１２  下方両側の所定部位
２３０、２４０  スナップリング
４１、５１  発泡層
４２、５２  ポリエチレン（ＰＥ）板
４３、５３  ＥＶＡ発泡層
４０１１、４０２１、５０１  発泡層
４０１２、４０２２、５０２  ＥＶＡ発泡層
６１、４０３１、７１  ＥＶＡ発泡層
８０１、８０２、８０３、８０４  通気布
４５、４０１５、４０２５、４０３５、５５、５０５、６５、７５  通気孔
１５  通気孔
２１２、２２２  下端
２０  鞍帯
２３２、２４２  別側
【図１】
0003109154.tif 000003
【図２】
0003109154.tif 000004
【図３】
0003109154.tif 000005
【図４】
0003109154.tif 000006
【図５】
0003109154.tif 000007
【図６】
0003109154.tif 000008
【図７】
0003109154.tif 000009
【図８】
0003109154.tif 000010
【図９】
0003109154.tif 000011
【図１０】
0003109154.tif 000012